(57)【要約】【課題】  家具・冷蔵庫に対する品物の出し入れ時に足・膝・腰への負担を軽減する。【解決手段】  本考案の家具・冷蔵庫１の下段引き出し４の案内構造は、家具・冷蔵庫１の本体に取り付けられたガイドレール２と、下段引き出し４に取り付けられ、ガイドレール２に沿って移動可能に構成された車輪４ａとを有し、ガイドレール２は、家具・冷蔵庫１における下段引き出し収納部の奥側に水平に配置された水平部と、該水平部の前端から前方斜め上方に伸びる傾斜部とを有し、下段引き出し４を前方へ引き出したときに、ガイドレール２に沿って車輪４ａが移動することにより下段引き出し４が上昇するように構成されている。【選択図】図２
0003113738.tif 000002
【実用新案登録請求の範囲】
【請求項１】
家具・冷蔵庫の下段引き出しの高上と品物乗せ台で、品物の出し入れが座ることなく出来る。
【考案の詳細な説明】
【技術分野】
【０００１】本考案は、家具・冷蔵庫の下段引き出しの高上と乗せ台。
【背景技術】
【０００２】従来の家具・冷蔵庫では、品物を床に置き、品物の出し入れをしていた。足・膝・腰への負担の軽減。
【考案の開示】
【考案が解決しようとする課題】
【０００３】高齢者・障害者の低い引き出しからの品物の出し入れを立ったままで出来る様にする。
【課題を解決するための手段】
【０００４】引き出しの上げ下げを梃子の原理とアブソーバーを使い楽にする。
【考案の効果】
【０００５】引き出しを高上げすることにより、立ったまま品物の出し入れが出来、楽になる。
【図１】
0003113738.tif 000003
【図２】
0003113738.tif 000004
【図３】
0003113738.tif 000005
【図４】
0003113738.tif 000006
【図５】
0003113738.tif 000007
【手続補正書】
【提出日】平成17年5月30日(2005.5.30)
【手続補正１】
【補正対象書類名】実用新案登録請求の範囲
【補正対象項目名】全文
【補正方法】変更
【補正の内容】
【実用新案登録請求の範囲】
【請求項１】
家具・冷蔵庫の下段引き出しの案内構造において、前記家具・冷蔵庫の本体に取り付けられたガイドレールと、前記下段引き出しに取り付けられ、前記ガイドレールに沿って移動可能に構成された車輪とを有し、前記ガイドレールは、前記家具・冷蔵庫における下段引き出し収納部の奥側に配置された水平部と、該水平部の前端から前方斜め上方に伸びる傾斜部とを有し、前記下段引き出しを前方へ引き出したときに、前記ガイドレールに沿って前記車輪が移動することにより前記下段引き出しが上昇するように構成されていることを特徴とする下段引き出しの案内構造。
【請求項２】
前記ガイドレールには、前記傾斜部の前端に水平に接続された前方水平部が設けられていることを特徴とする請求項１に記載の案内構造。
【請求項３】
前記本体と前記下段引き出しとの間に前記下段引き出しの上下のバランスをとるアブソーバーが連結されていることを特徴とする請求項１又は２に記載の下段引き出しの案内構造。
【請求項４】
前記下段引き出しには、前記下段引き出しの底面下に水平に配置され、前記下段引き出しの前方へ引き出し可能に構成された品物乗せ台が取り付けられていることを特徴とする請求項１乃至３のいずれか一項に記載の下段引き出しの案内構造。
【手続補正２】
【補正対象書類名】明細書
【補正対象項目名】全文
【補正方法】変更
【補正の内容】
【考案の詳細な説明】
【技術分野】
【０００１】
本考案は家具・冷蔵庫の下段引き出しの案内構造に関する。
【背景技術】
【０００２】
従来の家具・冷蔵庫では、品物を床に置き、品物の出し入れをしていた。このため、足・膝・腰への負担が大きかった。
【考案の開示】
【考案が解決しようとする課題】
【０００３】
本考案の課題は、家具・冷蔵庫に対する品物の出し入れ時に足・膝・腰への負担を軽減することにある。
【課題を解決するための手段】
【０００４】
本考案は、家具・冷蔵庫の下段引き出しの案内構造において、前記家具・冷蔵庫の本体に取り付けられたガイドレールと、該ガイドレールに沿って移動可能に構成され、前記下段引き出しに取り付けられた車輪とを有し、前記ガイドレールは、前記家具・冷蔵庫における下段引き出し収納部の奥側に水平に配置された水平部と、該水平部の前端から前方斜め上方に伸びる傾斜部とを有し、前記下段引き出しを前方へ引き出したときに、前記ガイドレールに沿って前記車輪が移動することにより前記下段引き出しが上昇するように構成されていることを特徴とする。ここで、前記ガイドレールには、前記傾斜部の前端に水平に接続された前方水平部が設けられていることが好ましい。また、前記本体と前記下段引き出しとの間に前記下段引き出しの上下のバランスをとるアブソーバーが連結されていることが好ましい。さらに、前記下段引き出しには、前記下段引き出しの底面下に水平に配置され、前記下段引き出しの前方へ引き出し可能に構成された品物乗せ台が取り付けられていることが望ましい。
【考案の効果】
【０００５】
引き出しを高上げすることにより、立ったまま品物の出し入れが出来、楽になる。また、高齢者・障害者でも、低い引き出しからの品物の出し入れが立ったままで出来る様になる。さらに、引き出しの上げ下げを梃子の原理とアブソーバーを使い楽にすることができる。
【考案を実施するための最良の形態】
【０００６】
本考案の家具・冷蔵庫１の下段引き出し４の引き上げに際しては図１に概要が示してある。従来においては、図１の１−１から１−２に示すように前方へ引き出すだけであったが、本考案では、１−１から１−３へ図２に示すガイドレール２を使い引き上げることができる。アブソーバー３を使い、上下のバランスをとる。品物乗せ台４は、図３の３−１に示す状態から図４の３−３に示す状態に引き出し、品物を乗せることができる。座ることなく品物の出し入れが出来る。
【０００７】
図２に示すように、ガイドレール２は、家具・冷蔵庫１における下段引き出し４の収容部の奥側に水平に配置された水平部と、この水平部の前端から前方斜め上方へ延びる傾斜部とを有する。また、ガイドレール２には傾斜部の前端に水平に接続された前方水平部が設けられている。下段引き出し４には車輪４ａが取り付けられ、この車輪４が上記ガイドレール２に沿って前後に移動できるように構成されている。これにより、下段引き出し４を前方に引き出すと、車輪４ａがガイドレール２に沿って上方へ移動するため、下段引き出し４が図２に示すように高い位置に配置される。図２では車輪４ａが前方水平部に配置された状態が示されている。
【０００８】
また、アブソーバー３は、家具・冷蔵庫１における下段引き出し４の収容部の下方部分と、下段引き出し４の底部とに連結されている。
【０００９】
品物乗せ台５は、図３及び図４に示すように、下段引き出し４の底部下に水平に配置され、この底部下の位置から前方へ引き出し可能に取り付けられている。
【図面の簡単な説明】
【００１０】
【図１】従来の下段引き出しの移動態様と、実施例の下段引き出しの移動態様とを比較して示す左側面一部断面図。
【図２】実施例の家具・冷蔵庫における下段引き出しの取り付け構造を示す左側面一部断面図。
【図３】実施例の下段引き出しの左側面図及び正面図。
【図４】実施例の下段引き出しの品物乗せ台を引き出した状態を示す左側面図。
【符号の説明】
【００１１】
１…家具・冷蔵庫、２…ガイドレール、３…アブソーバー、４…下段引き出し、４ａ…車輪、５…品物乗せ台
【手続補正３】
【補正対象書類名】図面
【補正対象項目名】図１
【補正方法】変更
【補正の内容】
【図１】
0003113738.tif 000008
【手続補正４】
【補正対象書類名】図面
【補正対象項目名】図２
【補正方法】変更
【補正の内容】
【図２】
0003113738.tif 000009
【手続補正書】
【提出日】平成17年7月19日(2005.7.19)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】
本考案は家具・冷蔵庫の下段引き出しの案内構造に関する。
【背景技術】
【０００２】
従来の家具・冷蔵庫では、品物を床に置き、品物の出し入れをしていた。このため、足・膝・腰への負担が大きかった。
【考案の開示】
【考案が解決しようとする課題】
【０００３】
本考案の課題は、家具・冷蔵庫に対する品物の出し入れ時に足・膝・腰への負担を軽減することにある。
【課題を解決するための手段】
【０００４】
本考案は、家具・冷蔵庫の下段引き出しの案内構造において、前記家具・冷蔵庫の本体に取り付けられたガイドレールと、該ガイドレールに沿って移動可能に構成され、前記下段引き出しに取り付けられた車輪とを有し、前記ガイドレールは、前記家具・冷蔵庫における下段引き出し収納部の奥側に水平に配置された水平部と、該水平部の前端から前方斜め上方に伸びる傾斜部とを有し、前記下段引き出しを前方へ引き出したときに、前記ガイドレールに沿って前記車輪が移動することにより前記下段引き出しが上昇するように構成されていることを特徴とする。ここで、前記ガイドレールには、前記傾斜部の前端に水平に接続された前方水平部が設けられていることが好ましい。また、前記本体と前記下段引き出しとの間に前記下段引き出しの上下のバランスをとるアブソーバーが連結されていることが好ましい。さらに、前記下段引き出しには、前記下段引き出しの底面下に水平に配置され、前記下段引き出しの前方へ引き出し可能に構成された品物乗せ台が取り付けられていることが望ましい。
【考案の効果】
【０００５】
引き出しを高上げすることにより、立ったまま品物の出し入れが出来、楽になる。また、高齢者・障害者でも、低い引き出しからの品物の出し入れが立ったままで出来る様になる。さらに、引き出しの上げ下げを梃子の原理とアブソーバーを使い楽にすることができる。
【考案を実施するための最良の形態】
【０００６】
本考案の家具・冷蔵庫１の下段引き出し４の引き上げに際しては図１に概要が示してある。従来においては、図１の１−１から１−２に示すように前方へ引き出すだけであったが、本考案では、１−１から１−３へ図２に示すガイドレール２を使い引き上げることができる。アブソーバー３を使い、上下のバランスをとる。品物乗せ台４は、図３の３−１に示す状態から図４の３−３に示す状態に引き出し、品物を乗せることができる。座ることなく品物の出し入れが出来る。
【０００７】
図２に示すように、ガイドレール２は、家具・冷蔵庫１における下段引き出し４の収容部の奥側に水平に配置された水平部と、この水平部の前端から前方斜め上方へ延びる傾斜部とを有する。また、ガイドレール２には傾斜部の前端に水平に接続された前方水平部が設けられている。下段引き出し４には車輪４ａが取り付けられ、この車輪４が上記ガイドレール２に沿って前後に移動できるように構成されている。これにより、下段引き出し４を前方に引き出すと、車輪４ａがガイドレール２に沿って上方へ移動するため、下段引き出し４が図２に示すように高い位置に配置される。図２では車輪４ａが前方水平部に配置された状態が示されている。
【０００８】
また、アブソーバー３は、家具・冷蔵庫１における下段引き出し４の収容部の下方部分と、下段引き出し４の底部とに連結されている。
【０００９】
品物乗せ台５は、図３及び図４に示すように、下段引き出し４の底部下に水平に配置され、この底部下の位置から前方へ引き出し可能に取り付けられている。
【図面の簡単な説明】
【００１０】
【図１】従来の下段引き出しの移動態様と、実施例の下段引き出しの移動態様とを比較して示す左側面一部断面図。
【図２】実施例の家具・冷蔵庫における下段引き出しの取り付け構造を示す左側面一部断面図。
【図３】実施例の下段引き出しの左側面図及び正面図。
【図４】実施例の下段引き出しの品物乗せ台を引き出した状態を示す左側面図。
【図５】実施例の下段引き出し及びその品物乗せ台を引き出した状態を示す斜視図。
【符号の説明】
【００１１】
１…家具・冷蔵庫、２…ガイドレール、３…アブソーバー、４…下段引き出し、４ａ…車輪、５…品物乗せ台